(57)【要約】【課題】連結部の多種多様な配置態様に容易に対応することができる長尺状の木材製品を提供する。【解決手段】長尺状に形成されると共に周面に他の部材４０との連結部２２が設けられた長尺状の木材製品１０であって、前記連結部２２の有無、前記連結部２２の個数、及び、前記連結部２２の配置部位のうち、少なくとも１つの要素が異なる複数種類の長尺状の材木２０を適宜組み合わせ、各材木２０を互いに幅方向に衝合して一体化してなる。なお、材木２０の含水率を３０％以下としてもよい。また、各材木２０の衝合面の溝部２１に、長手方向から固定部材３０を挿入することで、各材木２０を一体化することとしてもよい。さらに、固定部材３０も木製とし、材木２０及び固定部材３０の含水率を３０％以下としてもよい。【選択図】　　　　図１
2004136499.tif 000002
【特許請求の範囲】
【請求項１】
長尺状に形成されると共に周面に他の部材との連結部が設けられた長尺状の木材製品であって、
前記連結部の有無、前記連結部の個数、及び、前記連結部の配置部位のうち、少なくとも１つの要素が異なる複数種類の長尺状の材木を適宜組み合わせ、各材木を互いに幅方向に衝合して一体化してなることを特徴とする長尺状の木材製品。
【請求項２】
前記材木は、含水率が３０％以下であることを特徴とする請求項１に記載の長尺状の木材製品。
【請求項３】
互いに衝合される前記各材木の衝合面には、長手方向に溝部が凹設されており、該溝部には、長手方向から固定部材が挿入されており、該固定部材によって、各材木が離間不能に固定されていることを特徴とする請求項１または請求項２に記載の長尺状の木材製品。
【請求項４】
前記固定部材は、木製であり、前記材木及び前記固定部材は、含水率が３０％以下であることを特徴とする請求項３に記載の長尺状の木材製品。
【発明の詳細な説明】
【０００１】
【発明の属する技術分野】
本発明は、建築用の資材、土木用の資材、屋外遊具等の各種構築物を構築するための資材、建築物の間仕切りや内装を形成するために材料、家具や各種のインテリアを形成するための材料等として用いられる角材、板材、丸太材等の木材製品に関し、特に、長尺状の木材製品に関する。
【０００２】
【従来の技術】
建築用の資材等の各種材料として用いられる長尺状の木材製品は、一般に、無垢の原木を製材し、所望の断面形状に成形加工（モールディン）して形成される。そして、このような木材製品の中には、他の木材製品等、他の部材が連結される連結部を周面の適宜の部位に備えたものがある。ここで、連結部とは、例えば他の部材の端部に形成されたホゾ部等を嵌入する等して他の部材を連結するものであり、ホゾ部を嵌入する嵌入溝や嵌入穴等により構成される。そして、従来の木材製品では、連結部が、製材後の材木から木材製品の外形を形成する際の成形加工時、或は、成形加工後の別途の加工工程時に形成されたものであった。
【０００３】
なお、上述した従来の木材製品は、一般的なものであり、本出願人は、これを特定する文献を特に知見していない。
【０００４】
【発明が解決しようとする課題】
しかしながら、従来の木材製品では、連結部が、木材製品としての外形の成形加工時、或は、成形加工後の別途の加工工程時に形成されるものであるため、以下のような問題を有するものであった。
【０００５】
木材製品に対する他の部材の連結態様は、連結される他の部材の方向、数、位置等が多様であり、木材製品としては、種々の連結態様に応じて、連結部の配置部位や数が異なる多種多様のものを製造しなければならない。しかしながら、連結部は、成形加工時や別途の加工工程時に形成されるものであるため、連結部の配置態様を異ならせることとすると、成形加工の内容や別途の加工工程の内容を大幅に変更しなければならず、製造作業が煩雑となる。よって、従来の木材製品では、連結部の多種多様な配置態様に容易に対応することができなかった。
【０００６】
なお、機械産業分野等においては、複数種類の部品を適宜組み合わせることにより多種多様な製品とする所謂「モジュール」の手法がある。しかしながら、木材製品の分野、特に長尺状の木材製品の分野においては、複数の部品から完成品を形成する思想自体が一般的ではなく、他の部材を連結するための連結部は、連結態様に応じて個別に形成することが当然とされていた。
【０００７】
本発明は、上記実状を鑑みてなされたものであり、連結部の多種多様な配置態様に容易に対応することができる長尺状の木材製品を提供することを課題とする。
【０００８】
【課題を解決するための手段】
請求項１に記載の発明に係る長尺状木材は、長尺状に形成されると共に周面に他の部材との連結部が設けられた長尺状の木材製品であって、前記連結部の有無、前記連結部の個数、及び、前記連結部の配置部位のうち、少なくとも１つの要素が異なる複数種類の長尺状の材木を適宜組み合わせ、各材木を互いに幅方向に衝合して一体化してなることを特徴とするものである。
【０００９】
ここで、長尺状の木材製品とは、幅方向の最大寸法に対して、長手方向の寸法が、２倍以上、３倍以上、４倍以上、５倍以上、特には、１０倍以上、さらには、２０倍以上の角材、板材、丸太材等の木材製品を指す。
【００１０】
また、各材木を一体化するための手段としては、特に限定するものでないが、ボルト等の締結部材を用いて各材木を一体化する手段、接着剤によって各材木を一体化する手段等、種々の手段を例示することができる。
【００１１】
本発明では、前記連結部の有無、前記連結部の個数、及び、前記連結部の配置部位のうち、少なくとも１つの要素が異なる複数種類の長尺状の材木を適宜組み合わせるため、材木の組み合わせ方に応じて、連結部の配置態様は、多種多様となる。ここで、適宜部位に連結部を備えた複数種類の材木や、連結部を備えない材木等を予め形成しておけば、材木の組み合わせを変更するだけで、連結部の配置態様を多様に変化させることができる。よって、多種多様な配置態様の連結部を備えた木材製品を容易に製造することが可能となる。
【００１２】
また、複数の材木を一体化して大寸の木材製品とするため、個々の材木として、小寸の間伐材や、材木の製材時に生じた端材等を利用することができ、資源の有効利用を図ることができる。また、大寸の材木では、十分に乾燥させることが困難であり、製材後に大きな歪みや割れ等が生じ易いのであるが、本発明では、個々の材木として、厚みの薄いものを採用することができるため、個々の材木を、大きな歪や割れが生じないように、十分に乾燥させることもできる。
【００１３】
請求項２に記載の発明に係る長尺状の木材製品は、請求項１に記載の発明に係る長尺状の木材製品において、前記材木は、含水率が３０％以下であることを特徴とするものである。
【００１４】
本発明では、材木の含水率が３０％以下であるため、材木の成形加工後において、歪が生じ難い。よって、このように歪が生じ難い複数の材木を一体化して形成された木材製品においても、歪が生じ難くなる。
【００１５】
なお、日本の外気における木材の平衡含水率は、概ね１５％程度であり、自然乾燥や人工乾燥によって、成形加工する前である製材後の原材料の時点で、材木の含水率を１５％以下とすると、より一層、歪が生じ難く、好適である。また、室内における平衡含水率は、外気よりも低く、１２％程度であるため、木材製品を、建材等の建物を構築するための資材や内装材とする場合には、含水率を１２％以下とするのがよい。
【００１６】
請求項３に記載の発明に係る長尺状の木材製品は、請求項１または請求項１に記載の発明に係る長尺状の木材製品において、互いに衝合される前記各材木の衝合面には、長手方向に溝部が凹設されており、該溝部には、長手方向から固定部材が挿入されており、該固定部材によって、各材木が離間不能に固定されていることを特徴とするものである。
【００１７】
複数の材木を一体化する手段としては、ボルト等の締結部材を用いる手段、接着剤を用いる手段等を採用することができるが、このような手段によると、次のような不具合が生じる虞がある。
【００１８】
まず、ボルト等の締結部材を用いる手段では、完成された木材製品の外面にボルト等の締結部材が露呈するため、木材製品としての良好な外観を確保することができず、使用可能な態様が限られてしまう。次に、接着剤を用いる手段では、複数の材木を正確に位置合わせして衝合面を付き合わせ、接着剤が完全に硬化するまで、この状態で堅固に保持しておかなければならず、製造工程にて煩雑な作業が必要となる。
【００１９】
これに対して、本発明では、各材木の衝合面の溝部に固定部材を長手方向から挿入する、といった簡便な作業によって、複数の材木を一体化することができるため、製造作業が煩雑となることがない。ここで、各材木の溝部は、長手方向に凹設されたものであるため、材木の外形を形成する成形加工において溝部を同時に形成することができる。よって、材木を、溝部を備えるものとしても、材木自体の製造作用が煩雑となることはない。
【００２０】
また、固定部材は、各材木の衝合面間に装着されるため、固定部材が木材製品の外面に大きく露呈することはなく、この固定部材によっては、木材製品としての良好な外観が損なわれない。よって、木材製品の広範な用途を確保することも可能である。なお、固定部材は、外面に大きく露呈しないため、材木とは別途の廉価な木により形成することができ、また、木の他に、金属や樹脂等、他の材質により形成することもできる。ここで、固定部材も木製とし、木材製品全体で、木以外の材料を使用しないこととすると、全体が天然材料により形成された木材製品とすることができ、人工的な材質を使用しない環境に配慮した製品とすることができる。
【００２１】
ところで、溝部に固定部材を挿入するに際しては、固定部材よりも溝部を大きくすればする程、容易となるが、一方で、固定部材によって固定された各材木がガタツキ易くなる。よって、溝部を、幅方向及び深さ方向で、固定部材よりも若干、大きいものとするのが好適である。具体的には、０．０５〜３ｍｍ程度、好適には、０．１〜１ｍｍ程度、より好適には、０．２〜０．５ｍｍ程度のクリアランスを確保すればよい。
【００２２】
なお、本発明では、固定部材によって、互いに衝合する材木を離間不能に固定するのであるが、衝合面同士の接触面や固定部材と溝部との接触面に接着剤を介在させ、この接着剤によって、各材木をより堅固に一体化してもよい。ここで、たとえ接着剤を用いたとしても、各材木は、固定部材によって固定されているため、接着剤が完全に硬化するまで、各木材を位置決め固定しておく必要はなく、製造作業が煩雑となることはない。
【００２３】
請求項４に記載の発明に係る長尺状の木材製品は、請求項３に記載の発明に係る長尺状の木材製品において、前記固定部材は、木製であり、前記材木及び前記固定部材は、含水率が３０％以下であることを特徴とするものである。
【００２４】
本発明では、材木が木製であることは当然として、固定部材も木製であるため、上述したように、全体で環境に配慮した製品となる。また、木製である材木及び固定部材の含水率が３０％以下であるため、歪が生じ難く、溝部や固定部材自体の寸法精度が安定する。よって、溝部や固定部材が歪んで、固定部材を溝部に挿入し難くなるといった不具合は生じ難くなり、固定部材の溝部への挿入作業を容易化することができる。なお、材木及び固定部材の含水率を、１５％以下、好ましくは、１２％以下とすると、より一層、寸法精度を安定させることができる。
【００２５】
【発明の実施の形態】
本発明に係る長尺状の木材製品の実施形態としての一例を、以下に、図面に基づいて詳細に説明する。
【００２６】
図１に示すように、本例の長尺状の木材製品１０は、夫々、杉、檜等の原木や間伐材、他の木材製品の製材時に生じた端材等、適宜の原材料から長尺状で所望の断面形状に成形加工された複数の材木２０を一体化して形成されている。具体的には、各材木２０を、１辺が６０ｍｍの正方形の角材とし、４つの材木４０を束ねるようにして、各材木２０を幅方向に衝合して一体化し、全体で、１２０ｍｍの正方形の角材となるように形成されている。この木材製品１０は、１辺が１２０ｍｍの正方形の角材であるため、幅方向の最大寸法は、対角線の寸法である約１７０ｍｍとなっている。また、この木材製品１０は、ログハウスや木造住宅等の各種建物の柱材として使用されるものであり、長手方向の寸法は、幅方向の最大寸法の２倍以上であり、３５０〜５０００ｍｍとなっている。なお、長尺状の木材製品１０としては、これに限らず、長手方向の寸法が、幅方向の最大寸法の２倍以上であればよい。
【００２７】
互いに衝合する各材木２０の衝合面には、長手方向にアリ溝状の溝部２１が凹設されており、この溝部２１に、長手方向から固定部材３０を挿入して、各材木２０が離間不能に固定されている。ここで、固定部材３０は、互いに対向する溝部２２に対応してアリ嵌合するように、断面が略Ｈ字状に形成されており、この固定部材３０が各溝部２１を係止して、各材木２０を離間不能に固定している。
【００２８】
ところで、本例の木材製品１０は、ログハウスの壁面を構成する丸太材等、他の部材４０が連結されるものである。ここで、連結される他の部材４０の端部には、ホゾ部４１が設けられており、木材製品１０の適宜の面には、このホゾ部４１を嵌入して連結する連結部２２が設けられている。そして、このような木材製品１０は、図２に示すように、ログハウスの角部分の柱材となる木材製品１０ｃや、壁面部分の柱材となる木材製品１０ｄとして使用されるものである。ここで、本例の木材製品１０では、隣接する２つの材木２０により、アリ溝状の連結部２２を構成するものであり、複数種類の材木２０を適宜組み合わせて、所望の面に連結部２２を設けることができる。これを、以下に、具体的に説明する。
【００２９】
図３に示すように、材木２０としては、形態が異なる３種類のものが用意されている。具体的に、図３（ａ）に示す材木２０ａは、他の材木２０と衝合される隣接する２面に溝部２１が設けられ、その他の面は平滑とされたものである。図３（ｂ）に示す材木２０ｂは、他の材木２０と衝合される隣接する２面に溝部２１が設けられ、その他の隣接する２面に連結部２２が設けられたものである。図３（ｃ）に示す材木２０ｃは、他の材木２０と衝合される隣接する２面に溝部２１が設けられ、その他の２面の内、一方の面は平滑とされ、他方の面に連結部２２が設けられたものである。ここで、連結部２２は、２つの材木２０の連結部２２により構成されるものであり、１つの材木２０の連結部２２では、連結部２２の一部が構成される。
【００３０】
上述の種々の形態の材木２０を適宜、組み合わせることにより、図４に示すように、種々の形態の木材製品１０が形成される。具体的に、図４（ａ）に示す木材製品１０ａは、４つの全ての材木２０として、２面に連結部２２が設けられた材木２０ｂを採用したものであり、４面の全てに連結部２２を有するものである。図４（ｂ）に示す木材製品１０ｂは、２つの材木２０として、２面に連結部２２が設けられた材木２０ｂを採用し、他の２つの材木２０として、１面に連結部２２が設けられた材木２０ｃを採用したものであり、３面に連結部２２を有するものである。図４（ｃ）に示す木材製品１０ｃは、１つの材木２０として、２面が平滑とされた材木２０ａを採用し、この材木１０ａと対角状に位置する材木２０として、２面に連結部２２が設けられた材木２０ｂを採用し、残りの２つの材木２０として、１面に連結部２２が設けられた材木２０ｃを採用したものであり、隣接する２面に連結部２２を有するものである。図４（ｄ）に示す木材製品１０ｄは、４つの全ての材木２０として、１面に連結部２２が設けられた材木２０ｃを採用したものであり、対向する２面に連結部２２を有するものである。なお、図示は省略するが、４つの全ての材木２０として、連結部２２が設けられておらず、２面が平滑とされた材木２０ａを採用すれば、４面の全てが平滑であり、連結部２２を有さない木材製品１０とすることもできる。このような４面の全てが平滑とされた木材製品１０では、適宜の面に、別途、連結部２２を設けることができる。
【００３１】
本発明に係る長尺状の木材製品は、上記例に限らず、発明の要旨を逸脱しない範囲で、種々のが可能である。例えば、図６に示すような木材製品５０であってもよい。
【００３２】
本例の木材製品５０では、材木６０が、三角形、より具体的には、直角二等辺三角形の角材から構成され、直角をなす角と対向する辺の面が、木材製品１０としての外面を構成し、等しい２辺の面が、他の材木６０との衝合面を構成する。そして、衝合面に凹設された溝部６１は、底部側程、幅広に形成されており、この溝部６１に挿入される固定部材７０の断面形状は、溝部６１に対応して、両端部が幅広の略蝶型となっている。このような固定部材７０によっても、長手方向から溝部６１に挿入することができ、挿入が完了した後には、溝部６１を係止して、各材木６０を離間不能に固定することができる。また、丸太材等の他の部材４０を連結するための連結部６２は、適宜の材木６０の外面を構成する面に設けられており、単体の材木６０の連結部６２から構成されている。さらに、各材木６０の衝合面には、長手方向に延設された凸部６３及び凹部６４が設けられており、凹部６４と凸部６３との凹凸嵌合により、衝合状態での位置合わせが的確になされるようにしてある。
【００３３】
このような木材製品５０も、図６に示すように、ログハウスの角部分の柱材となる木材製品５０ｂや、壁面部分の柱材となる木材製品５０ｄとして使用することができる。また、本例の木材製品５０は、図７に示すように、形態の異なる２種類の材木６０を適宜、組み合わせたものである。ここで、図７（ａ）に示す材木６０ａは、他の材木６０と衝合する一方の衝合面に溝部６１及び凹部６４が設けられ、他方の衝合面に溝部６１及び凸部６３が設けられ、木材製品５０の外面となる面に連結部６２が設けられたものである。そして、図７（ｂ）に示す材木６０ｂは、他の材木６０と衝合する一方の衝合面に溝部６１及び凹部６４が設けられ、他方の衝合面に溝部６１及び凸部６３が設けられていることは同様であるが、外面となる面には連結部６２が設けられておらず、平滑とされたものである。
【００３４】
このような２種類の材木６０を適宜、組み合わせることによっても、図８に示すように、多様な形態の木材製品５０を形成することができる。図８（ａ）に示す木材製品５０ａは、４つの全ての材木６０として、連結部６２が設けられた材木６０ａを採用したものであり、４面の全てに連結部６２を有するものである。図８（ｂ）に示す木材製品５０ｂは、３つの材木６０として、連結部６２が設けられた材木６０ａを採用し、残りの１つの材木６０として、連結部６２を有さない材木６０ｂを採用したものであり、３面に連結部６２を有するものである。図８（ｃ）に示す木材製品５０ｃは、隣接する２つの材木６０として、連結部６２を有する材木６０ａを採用し、残りの隣接する２つの材木６０として、連結部６２を有さない材木６０ｂを採用したものであり、隣接する２面に連結部６２を有するものである。図８（ｄ）に示す木材製品５０ｄは、対向する２つの材木６０として、連結部６２を有する材木６０ａを採用し、残りの対向する２つの材木６０として、連結部６２を有さない材木６０ｂを採用したものであり、対向する２面に連結部６２を有するものである。なお、図示は省略するが、４つの全ての材木６０として、連結部６２を有さない材木６０ｂを採用すれば、４面の全てが平滑であり、連結部６２を有さない木材製品５０とすることができる。
【００３５】
以上の各例に限らず、木材製品は、２つまたは３つの材木を一体化したもの、或は、５つ以上の材木を一体化したものであってもよく、正方形の角材に限らず、２×４建築用の柱材等となる長方形の角材や、その他、円形や半円形等の丸太材、多角形の角材等であってもよい。また、連結部としては、溝状のものに限らず、木材製品の周面における適宜の部位に穿設された穴状のものや切欠き状のものであってもよく、その個数も、１つ或は複数であってもよい。さらに、各材木を一体化するためには、固定部材を用いるに限らず、接着剤や締結部材を用いて各材木を一体化することとしてもよい。
【００３６】
【発明の効果】
以上詳細に説明した本発明によれば、以下の効果を得ることができる。
【００３７】
請求項１の発明によれば、連結部の配置部位や数等が異なる種々の材木を組み合わせて一体化してなるため、材木の組み合わせ方によって、連結部の配置態様を変更することができ、連結部の多種多様な配置態様の要望に容易に対応することができる。
【００３８】
請求項２の発明によれば、材木の含水率を３０％以下とすることで、材木自体の寸法精度を安定させることができるため、木材製品全体としての寸法精度を安定させることができ、製造後の木材製品において、良好な品質を維持させることができる。
【００３９】
請求項３の発明によれば、互いに衝合された材木の溝部に長手方向から固定部材を挿入することで各材木を固定するため、複数の材木を一体化してなるものであっても、容易に製造することができ、しかも、良好な外観を確保することができる。
【００４０】
請求項４の発明によれば、固定部材も木製とすることで、木材製品全体として環境に配慮した製品とすることができると共に、材木及び固定部材の含水率を３０％以下とすることで、材木自体及び固定部材自体の寸法精度を安定させることができ、溝部への固定部材の挿入作業を、容易化することもできる。
【図面の簡単な説明】
【図１】本発明に係る木材製品の一例を示す斜視図である。
【図２】図１に示した木材製品の使用例を示す斜視図である。
【図３】材木の種々の形態を示す平面図である。
【図４】木材製品の種々の形態を示す平面図である。
【図５】本発明に係る木材製品の別例を示す斜視図である。
【図６】図５に示した木材製品の使用例を示す斜視図である。
【図７】材木の種々の形態を示す平面図である。
【図８】木材製品の種々の形態を示す平面図である。
【符号の説明】
１０（ａ，ｂ，ｃ，ｄ）　木材製品
２０（ａ，ｂ，ｃ）　材木
２１　溝部
２２　連結部
３０　固定部材
４０　他の部材
５０（ａ，ｂ，ｃ，ｄ）　木材製品
６０（ａ，ｂ）　材木
６１　溝部
６２　連結部
６３　凸部
６４　凹部
７０　固定部材
【図１】
2004136499.tif 000003
【図２】
2004136499.tif 000004
【図３】
2004136499.tif 000005
【図４】
2004136499.tif 000006
【図５】
2004136499.tif 000007
【図６】
2004136499.tif 000008
【図７】
2004136499.tif 000009
【図８】
2004136499.tif 000010